(57)【特許請求の範囲】
【請求項１】
記録紙に画像を形成する画像形成部を備える画像形成装置において、
本画像形成装置の外郭を構成する筐体が、平面状の作業面を有する天板部と、当該天板部を支持する脚部とを含む机形状を有し、
前記画像形成部が、前記天板部内に収容され、
前記天板部に、画像形成済みの記録紙を排出する記録紙排出口が設けられ、
画像を読み取る画像読取部が、更に、前記天板部内に収容され、
前記天板部に、画像の読み取り対象となる記録紙を挿入する記録紙挿入口が設けられ、
画像読取済みの記録紙が前記記録紙排出口から排出され、
前記作業面は、前記天板部の上面に設けられ、
前記記録紙挿入口は、前記天板部の側面に設けられ、
前記天板部の側面には、前記天板部の側面方向外側に向けて前記作業面側に傾斜した平板状の部材であって、記録紙を前記記録紙挿入口に案内する挿入ガイド部材が設けられ、
前記天板部の上面には、上方から見て前記記録紙挿入口および前記挿入ガイド部材を覆う第２の傘部が設けられている、画像形成装置。
【請求項２】
前記作業面は、前記天板部の上面に設けられ、
前記記録紙排出口は、前記天板部の側面に設けられ、
前記天板部の側面には、前記天板部の側面方向外側に向けて前記作業面側に傾斜した平板状の部材であって、前記記録紙排出口から排出された記録紙を案内する排出ガイド部材が設けられている、請求項１に記載の画像形成装置。
【請求項３】
前記天板部の上面には、上方から見て前記記録紙排出口および前記排出ガイド部材を覆う第１の傘部が設けられている、請求項２に記載の画像形成装置。
【請求項４】
前記天板部内には、更に、トナーコンテナが収容され、
前記天板部の上面は、開閉可能とされ、当該上面が開かれた状態において、前記トナーコンテナが露出して前記天板部内から取り外し可能となる、請求項１乃至請求項３の何れか１項に記載の画像形成装置。
【請求項５】
前記第２の傘部は、光透過性を有する部材で構成され、上方から見て前記挿入ガイド部材が視認可能になっている、請求項１に記載の画像形成装置。
【請求項６】
前記天板部の上面に設けられ、接近した被読取物からユーザー固有の識別情報を読み取る読取部と、
前記読取部が読み取った識別情報を用いてユーザー認証を行う認証部と、
外部機器との間でデータの送受信を行う通信部と、
前記外部機器から送信されたデータを受け付ける受付部と、
前記認証部による認証が成功し、かつ、当該認証されたユーザーが用いる外部機器から送信された画像形成指示を前記受付部が受け付けた場合に、前記画像形成部に、前記画像形成指示に示される画像データの画像を記録紙に形成させる制御部と、を更に備える、請求項１乃至請求項５の何れか１項に記載の画像形成装置。
【請求項７】
前記制御部は、前記画像形成部が記録紙に画像を形成する場合に、前記通信部に、画像を形成する枚数に応じた課金情報を前記識別情報とともに外部に設けられたサーバーへ送信させる、請求項６に記載の画像形成装置。
【発明の詳細な説明】
【技術分野】
【０００１】
本発明は、記録紙に画像を形成する画像形成装置に関する。
【背景技術】
【０００２】
ＰＣ（Personal Computer）等の外部機器から出力された画像データに基づき、記録紙に画像を形成する画像形成装置が知られている。画像形成装置は、オフィス内や自宅内だけでなく、コンビニエンスストア等の商業施設内にも設置されている。当該画像形成装置を利用することで、ユーザーが外出先で画像データを出力することができる。
【先行技術文献】
【特許文献】
【０００３】
【特許文献１】特開２００１−６６９４６号公報
【発明の概要】
【発明が解決しようとする課題】
【０００４】
近年、オフィスや自宅ではなく、喫茶店やファーストフード店等の机でノート型ＰＣやタブレット端末等を用いて仕事をする人、所謂ノマドワーカーが増加している。生成・編集した画像データを店内で出力したいというノマドワーカーの要望があると考えられ、このため、喫茶店やファーストフード店等の店内に専用のスペースを設け、当該専用のスペースに画像形成装置を設置することが考えられる。
【０００５】
しかしながら、ユーザーは、自身の座席から画像形成装置が設置された専用のスペースまで出力された記録紙を取りに行く必要がある。このため、ユーザーが記録紙を取りに行っている間に、机に置かれたノート型ＰＣやタブレット端末等が盗難されたり、ノート型ＰＣやタブレット端末等の画面が盗み見されるおそれがある。また、画像形成装置から出力された記録紙が盗難されるおそれもある。
【０００６】
喫茶店やファーストフード店等は不特定の人間が入店可能な施設であるため、上記のようにユーザーが取り扱っている情報が漏洩するおそれがあるのでは、店内に画像形成装置を設置してもユーザーが安心して利用することができない。
【０００７】
また、限られた面積の店内でより多くの座席数を確保したい店側からしてみれば、ノマドワーカー向けに画像形成手段を提供するためだけに専用のスペースを確保するのは好ましくない。更には、画像形成装置の外観は、オフィスや自宅に設置されることを想定したデザインになっているため、画像形成装置を設置することで喫茶店やファーストフード店等の店内の雰囲気が損なわれるおそれがある。
【０００８】
本発明は、上記の事情に鑑みなされたものであり、専用のスペースを設けることなく、喫茶店やファーストフード店等の不特定の人間が入店可能な施設に画像形成手段を提供し、かつ、ユーザーが当該画像形成手段を情報漏洩のおそれがない方法で利用可能にすることを目的とする。
【課題を解決するための手段】
【０００９】
本発明の一局面にかかる画像形成装置は、記録紙に画像を形成する画像形成部を備える画像形成装置において、本画像形成装置の外郭を構成する筐体が、平面状の作業面を有する天板部と、当該天板部を支持する脚部とを含む机形状を有し、前記画像形成部が、前記天板部内に収容され、前記天板部に、画像形成済みの記録紙を排出する記録紙排出口が設けられ、画像を読み取る画像読取部が、更に、前記天板部内に収容され、前記天板部に、画像の読み取り対象となる記録紙を挿入する記録紙挿入口が設けられ、画像読取済みの記録紙が前記記録紙排出口から排出され、前記作業面は、前記天板部の上面に設けられ、前記記録紙挿入口は、前記天板部の側面に設けられ、前記天板部の側面には、前記天板部の側面方向外側に向けて前記作業面側に傾斜した平板状の部材であって、記録紙を前記記録紙挿入口に案内する挿入ガイド部材が設けられ、前記天板部の上面には、上方から見て前記記録紙挿入口および前記挿入ガイド部材を覆う第２の傘部が設けられている、画像形成装置である。
【発明の効果】
【００１０】
上記の本発明の一局面にかかる画像形成装置によれば、専用のスペースを設けることなく、喫茶店やファーストフード店等の不特定の人間が入店可能な施設に画像形成手段を提供でき、かつ、ユーザーが当該画像形成手段を情報漏洩のおそれがない方法で利用することができる。
【図面の簡単な説明】
【００１１】
【図１】（Ａ）〜（Ｃ）は、本発明の一実施形態にかかる画像形成装置の外観を示す図であり、（Ａ）は斜視図、（Ｂ）は上面図、（Ｃ）は側面図である。
【図２】本発明の一実施形態にかかる画像形成装置の内部構成を示すブロック図である。
【図３】本発明の一実施形態にかかる画像形成装置の設置場所の一例を示す。
【図４】本発明の一実施形態にかかる画像形成装置において、記録紙を排出または挿入する様子を示す図である。
【図５】（Ａ）は、本発明の一実施形態にかかる画像形成装置の給紙カセットに記録紙を補充する作業を示す図であり、（Ｂ）は、本発明の一実施形態にかかる画像形成装置のトナーコンテナにトナーを補充する作業を示す図である。
【図６】本発明の一実施形態にかかる画像形成装置の動作の流れを示すフローチャートである。
【図７】（Ａ）および（Ｂ）は、変形例にかかる画像形成装置の外観を示す図であり、（Ａ）は斜視図、（Ｂ）は上面図である。
【発明を実施するための形態】
【００１２】
以下、本発明の一実施形態にかかる画像形成装置について図面を参照して説明する。
【００１３】
まず、画像形成装置１の外観構成を説明する。図１（Ａ）〜図１（Ｃ）は、本発明の一実施形態にかかる画像形成装置の外観を示す図であり、図１（Ａ）は斜視図、図１（Ｂ）は上面図、図１（Ｃ）は側面図である。
【００１４】
画像形成装置１は、コピー機能、プリンター機能、およびスキャナー機能等の複数の機能を兼ね備えた複合機である。図１（Ａ）〜図１（Ｃ）に示すように、画像形成装置１は、画像形成装置１の外郭を構成する筐体が、天板部２０と、当該天板部２０を支持する脚部１０とを含む机形状を有している。
【００１５】
脚部１０は、床面等の設置面上に設置される略円形状の台座部１２と、当該台座部１２に立設される略円柱状の支柱部１１とを備える。支柱部１１は、天板部２０の底面に固着されており、天板部２０を予め定められた高さ位置で保持する役割を果たす。
【００１６】
天板部２０は、略板形状を有しており、その内部に後述する画像形成部５１や画像読取部５２（図２参照）等を収容している。天板部２０の側面４０Ａには、天板部２０の内部に収容された画像形成部５１により画像形成された記録紙を排出する記録紙排出口４３が設けられている。記録紙排出口４３の下方には、側面４０Ａから外側に向けて延設された平板状の排出ガイド部材４１が設けられている。排出ガイド部材４１は、外側に向かうにつれて上面３０側に傾斜しており、記録紙排出口４３から排出された記録紙を斜め上方に案内する。このため、記録紙排出口４３から排出された記録紙をユーザーが上方から取りやすくすることができる。
【００１７】
一方、天板部２０の側面４０Ａに対向する位置にある側面４０Ｂには、天板部２０の内部に収容された画像読取部５２による画像の読み取り対象となる記録紙を挿入する記録紙挿入口４４が設けられている。記録紙挿入口４４の下方には、側面４０Ｂから外側に向けて延設された平板状の挿入ガイド部材４２が設けられている。挿入ガイド部材４２は、外側に向かうにつれて上面３０側に傾斜しており、ユーザーが上方から挿入した記録紙を記録紙挿入口４４まで案内する。
【００１８】
天板部２０の上面３０は、略平面状であって、ノート型ＰＣやタブレット端末等の電子機器や記録紙等が載置され、各種作業が行われる作業面としての役割を果たす。また、天板部２０の上面３０を構成する４つの辺３０Ａ、３０Ｂ、３０Ｃ、および３０Ｄのうち、左辺３０Ａはその中央部が縁部よりも内側（右側）に引っ込んだ略円弧状になっている。このため、上面視で、排出ガイド部材４１の記録紙排出口４３側とは反対側の端部が視認可能になっている。このため、記録紙排出口４３から排出された記録紙をユーザーが確認し易い。また、左辺３０Ａに対向する右辺３０Ｂも、その中央部が縁部よりも内側（左側）に引っ込んだ略円弧状になっている。このため、上面視で、挿入ガイド部材４２の記録紙挿入口４４側とは反対側の端部が視認可能になっている。このため、記録紙の挿入先をユーザーが確認し易い。
【００１９】
天板部２０の上面３０には、ＱＲコード（登録商標）３１等のパターン画像が描かれている。ユーザーは、スマートフォン等の電子機器を用いて当該ＱＲコード（登録商標）３１を読み取ることで、予め定められたＵＲＬ（Uniform Resource Locator）のサイトにアクセス可能となる。当該サイトでは、画像形成装置１の操作手順が示されたマニュアル情報等を閲覧することができる。
【００２０】
また、天板部２０の上面３０の左端部には発光部３２が設けられ、および右端部には発光部３３が設けられている。発光部３２および発光部３３は、ＬＥＤ（light emitting diode）等の光源であって、後述する動作制御部１０２による制御のもと、画像形成部５１による画像形成動作および画像読取部５２による画像読取動作に応じて発光する。
【００２１】
更には、天板部２０の上面には、カード読取装置６０が設けられている。カード読取装置６０は、接近した被読取物からユーザー固有の識別情報を読み取る読取部６２を有する。読取部６２は、例えば、ＮＦＣ（Near Field Communication）リーダーである。ＮＦＣタグが内蔵された会員カード等の被読取物がＮＦＣリーダーに接近すると、電磁誘導によりＮＦＣタグに内蔵されたアンテナコイルに電力が供給される。そして、当該供給された電力を用いてアンテナコイルが、ＮＦＣタグに内蔵されたメモリーに記憶された識別情報を送信する。ＮＦＣリーダーは、当該送信された識別情報を受信することで、接近した被読取物から識別情報を読み取る。
【００２２】
カード読取装置６０は、更に、読取部６２の周りを取り囲むように設けられた発光部６１を有する。発光部６１は、ＬＥＤ等の光源であって、後述する動作制御部１０２による制御のもと、読取部６２による読取動作に応じて発光する。
【００２３】
続いて、画像形成装置１の内部構成を説明する。図２は、本発明の一実施形態にかかる画像形成装置１の内部構成を示すブロック図である。なお、既に説明した構成については、その説明を簡略または省略する。
【００２４】
給紙部５３は、ピックアップローラー（不図示）を有し、当該ピックアップローラーにより後述する給紙カセット５４１（図５（Ａ）参照）に収容された記録紙を天板部２０内に設けられた記録紙搬送路に向けて搬送（給紙）する。
【００２５】
搬送部５４は、天板部２０内の記録紙搬送路上の複数箇所に設けられた複数の搬送ローラー対（不図示）を有し、記録紙搬送路上で記録紙を搬送する。
【００２６】
画像形成部５１は、天板部２０内の記録紙搬送路上の予め定められた位置に配設される。画像形成部５１は、不図示の感光体ドラム、帯電装置、露光装置、および現像装置等を備え、帯電、露光、現像の工程により、ＰＣ３００等の外部機器から出力された画像データに基づき、給紙部５３から給紙された記録紙に画像を形成する。画像形成部５１により画像が記録された記録紙は、搬送部５４により搬送されて記録紙排出口４３から排出される。
【００２７】
画像読取部５２は、ＬＥＤ等の発光部（不図示）とＣＭＯＳ（Complementary Metal Oxide Semiconductor）イメージセンサー等の受光部（不図示）とを有するスキャナーであ
る。画像読取部５２は、天板部２０内の記録紙搬送路上の予め定められた位置に配設され、記録紙挿入口４４から挿入され搬送部５４により搬送されてくる記録紙（原稿）を光学的に読み取る。画像読取部５２により生成された画像データは、シェーディング補正、ガンマ補正、色収差補正、ＭＴＦ（Modulation Transfer Function）補正およびスキャナー色補正等の様々な画像処理が施された後に記憶部７０に記憶される。
【００２８】
記憶部７０は、ＨＤＤ（Hard Disk Drive）等の大容量の記憶装置である。
【００２９】
通信部８０は、ＬＡＮチップ等の通信モジュールを備える通信インターフェイスである。通信部８０は、無線または有線で接続されたネットワークを介してＰＣ３００等の外部機器や後述する管理サーバー２００と接続されている。
【００３０】
画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部７０に記憶された制御プログラムが上記のＣＰＵに実行されることにより、受付部１０１、動作制御部１０２、通信制御部１０３、認証部１０４、および課金制御部１０５として機能する。なお、制御ユニット１００の受付部１０１、動作制御部１０２、通信制御部１０３、認証部１０４、および課金制御部１０５は、前述の制御プログラムに基づく動作によらず、それぞれハード回路により構成されてもよい。
【００３１】
通信制御部１０３は、通信部８０を介して、ＰＣ３００等の外部機器や管理サーバー２００との間でデータの送受信を行う機能を有する。
【００３２】
受付部１０１は、通信制御部１０３による制御のもとＰＣ３００等の外部機器から受信した画像形成に関する指示（画像形成指示）や画像読取に関する指示（画像読取指示）を受け付ける機能を有する。
【００３３】
動作制御部１０２（制御部）は、画像形成部５１による画像形成動作や画像読取部５２による画像読取動作等を制御する機能を有する。
【００３４】
認証部１０４は、カード読取装置６０の読取部６２が読み取った識別情報を用いてユーザー認証を行う機能を有する。
【００３５】
ここで、管理サーバー２００の記憶部２１２には、予め複数の識別情報が記憶されている。認証部１０４は、通信制御部１０３に、記憶部２１２に記憶された複数の識別情報を管理サーバー２００から受信させる。そして、認証部１０４は、受信した識別情報の中に読取部６２が読み取った識別情報と一致するものがあるか否かを判定することでユーザー認証を行う。
【００３６】
課金制御部１０５（制御部）は、画像形成部５１が記録紙に画像を形成する場合や画像読取部５２が記録紙（原稿）を読み取る場合に、画像を形成する枚数等の画像形成内容や記録紙を読み取る枚数等の画像読取内容に応じた課金情報を生成する機能を有する。課金制御部１０５は、通信制御部１０３に、生成した課金情報をカード読取装置６０の読取部６２が読み取った識別情報とともに管理サーバー２００へ送信させる。管理サーバー２００の制御ユニット２１０は、画像形成装置１から送信された上記の課金情報を識別情報に関連付けて記憶部２１２に記憶させる。
【００３７】
続いて、画像形成装置１の使用形態について説明する。図３は、本発明の一実施形態にかかる画像形成装置１の設置場所の一例を示す。画像形成装置１は、喫茶店やファーストフード店等の複数の机と椅子（座席）が設置された施設に設置される。画像形成装置１は、机形状を有し、天板部２０の上面３０がノート型ＰＣやタブレット端末等の電子機器や記録紙等を載置して各種作業を行う作業面としての役割を果たすことができるため、喫茶店やファーストフード店等に設置されている既存の机の一部を画像形成装置１に替えることで、店内の座席数を減らさずにノマドワーカー等のユーザー（客）に画像形成手段や画像読取手段を提供することができる。また、画像形成装置１は机形状を有するため、画像形成装置１を設置することで喫茶店やファーストフード店等の店内の雰囲気が損なわれ難い。
【００３８】
ユーザーは、画像データを出力する作業や原稿を読み取る作業を伴う作業を行う場合、店内の座席のうち画像形成装置１が設けられた座席に座る。図３に示す例では、ユーザーが椅子４００に座って、天板部２０に載置されたＰＣ３００を用いて作業を行っている状態を示している。ユーザーは、ＰＣ３００を用いて生成・編集した画像データを出力したい場合、無線ＬＡＮを介して自身が座っている座席の画像形成装置１に画像形成指示を送信する。後述する認証処理および課金処理の後、図４に示すように、送信した画像形成指示に示される画像データの画像が形成された記録紙Ｐが、記録紙排出口４３から排出ガイド部材４１に案内されて斜め上方に向けて排出される。記録紙Ｐが斜め上方に向けて排出されるため、ユーザーは椅子４００に座った状態で、記録紙Ｐを取り出すことができる。なお、記録紙Ｐが記録紙排出口４３から排出される直前に、動作制御部１０２は、天板部２０の上面３０の左端部に設けられた発光部３２を点滅または点灯させる。これにより、ユーザーに記録紙Ｐが記録紙排出口４３から排出されることを報知することができる。
【００３９】
一方、喫茶店やファーストフード店等の店内に専用のスペースを設け、当該専用のスペースに画像形成装置を設置した場合、ユーザーは、自身の座席から画像形成装置が設置された専用のスペースまで出力された記録紙を取りに行く必要がある。このため、ユーザーが記録紙を取りに行っている間に、机に置かれたノート型ＰＣやタブレット端末等が盗難されたり、ノート型ＰＣやタブレット端末等の画面が盗み見されるおそれがある。また、画像形成装置から出力された記録紙が盗難されるおそれもある。喫茶店やファーストフード店等は不特定の人間が入店可能な施設であるため、上記のようにユーザーが取り扱っている情報が漏洩するおそれがあるのでは、店内に画像形成装置を設置してもユーザーが安心して利用することができない。
【００４０】
この点、本発明の一実施形態１にかかる画像形成装置１によれば、上記のように、ユーザーは、椅子４００に座ったまま、ＰＣ３００を用いた作業、および、生成・編集した画像データの画像が形成された記録紙Ｐを取得する作業を完結させることができる。このため、ユーザーが取り扱っている情報が漏洩するおそれが低く、ユーザーが安心して画像形成手段を利用することができる。
【００４１】
また、記録紙（原稿）を読み取りたい場合、ユーザーは、無線ＬＡＮを介して自身が座っている座席の画像形成装置１に画像読取指示を送信する。後述する認証処理および課金処理の後、図４に示すように、ユーザーは記録紙挿入口４４に記録紙Ｐを挿入する。このとき、上面視で挿入ガイド部材４２の記録紙挿入口４４側とは反対側の端部が視認可能になっているため、ユーザーが椅子４００に座った状態で記録紙の挿入先をユーザーが確認しやすく、また、挿入ガイド部材４２が外側に向かうにつれて上面３０側に傾斜しているため、ユーザーが椅子４００に座った状態で上方から記録紙を挿入しやすくなっている。なお、画像形成装置１の受付部１０１が画像読取指示を受け付け、認証処理および課金処理の後に、動作制御部１０２は、天板部２０の上面３０の右端部に設けられた発光部３３を点滅または点灯させる。これにより、ユーザーに記録紙Ｐを記録紙挿入口４４に挿入すべきことを報知することができる。
【００４２】
このように、画像読取作業においても画像形成作業と同様に、椅子４００に座ったまま作業を完結させることができる。このため、ユーザーが取り扱っている情報が漏洩するおそれが低く、ユーザーが安心して画像読取手段を利用することができる。
【００４３】
図５（Ａ）は、給紙カセット５４１に記録紙を補充する作業を示す図である。本図に示すように、天板部２０の側面４０Ａには、引き出し可能な給紙カセット５４１が設けられている。通常の状態においては、給紙カセット５４１は不図示のロック機構によりロックされており、側面４０Ａから引き出すことができなくなっている。
【００４４】
記録紙を補充する場合、管理者は、管理者用のカードをカード読取装置６０の読取部６２上にかざす。これにより、読取部６２が管理者用のカードのメモリーに記憶された識別情報を読み取る。管理サーバー２００の記憶部２１２には、予め管理者用の識別情報が記憶されている。認証部１０４は、通信制御部１０３に、記憶部２１２に記憶された管理者用の識別情報を管理サーバー２００から受信させる。そして、認証部１０４は、受信した管理者用の識別情報の中に読取部６２が読み取った識別情報と一致するものがあるか否かを判定する。受信した管理者用の識別情報の中に読取部６２が読み取った識別情報と一致するものがある場合、動作制御部１０２は、ロック機構を解除して、給紙カセット５４１を側面４０Ａから引き出し可能な状態にする。
【００４５】
図５（Ｂ）は、トナーコンテナ４７にトナーを補充する作業を示す図である。本図に示すように、天板部２０の上面３０は、開閉可能になっている。上面３０が開かれた状態において、トナーコンテナ４７が露出して天板部２０内から取り外し可能となる。通常の状態においては、天板部２０の上面３０は不図示のロック機構によりロックされており、開くことができなくなっている。
【００４６】
トナーを補充する場合、記録紙を補充する場合と同様に、管理者は、管理者用のカードをカード読取装置６０の読取部６２上にかざす。認証部１０４によるユーザー認証が行われ、管理者用の識別情報の中に読取部６２が読み取った識別情報と一致するものがある場合、動作制御部１０２は、ロック機構を解除して、天板部２０の上面３０を開閉可能な状態にする。
【００４７】
記録紙の補充やトナーの補充は、画像形成装置に不可欠な作業である。一般の画像形成装置では、誰でも、筐体の一部を開閉させたり引き出したりして、記録紙の補充やトナーの補充を行うことができる。しかしながら、喫茶店やファーストフード店等の不特定の人間が入店可能な施設に設置する画像形成装置では、管理者等の特定の人間のみが記録紙の補充やトナーの補充を行うことができるのが好ましい。この点、本発明の一実施形態にかかる画像形成装置１では、後述する課金処理で用いる読取部６２を用いて、記録紙の補充やトナーの補充を行うことができる人間を制限することができる。
【００４８】
続いて、画像形成装置１の具体的な動作の流れについて説明する。図６は、画像形成装置１の動作の流れを示すフローチャートである。
【００４９】
画像形成装置１の受付部１０１がＰＣ３００から送信された画像形成指示を受け付けた場合（ステップＳ１０においてＹＥＳ）、課金制御部１０５は、代金を支払うべき旨を報知する処理を行う（ステップＳ１１）。
【００５０】
例えば、課金制御部１０５は、カード読取装置６０の発光部６１を点灯または点滅させる。これにより、ＮＦＣタグが内蔵された会員カードをカード読取装置６０の読取部６２上にかざして代金の支払いを行うべき旨をユーザーに報知することができる。また、課金制御部１０５は、通信制御部１０３に、画像形成指示の送信元であるＰＣ３００へ課金情報を送信させてもよい。当該課金情報には、画像を形成する枚数等の画像形成内容に応じた課金額が示されている。課金情報を受信したＰＣ３００は、表示部に課金情報に示される課金額を表示させる。これにより、ユーザーは、画像の形成に必要な金額を知ることができる。
【００５１】
ステップＳ１１の処理後、認証部１０４は、カード読取装置６０の読取部６２が識別情報を読み取ったか否かを判定する（ステップＳ１２）。
【００５２】
識別情報の読み取りに成功した場合（ステップＳ１２においてＹＥＳ）、認証部１０４はユーザー認証処理を実行する（ステップＳ１３）。すなわち、認証部１０４は、管理サーバー２００から受信した識別情報の中に読取部６２が読み取った識別情報と一致するものがあるか否かを判定する。
【００５３】
管理サーバー２００から受信した識別情報の中に読取部６２が読み取った識別情報と一致するものがあり、ユーザー認証に成功した場合（ステップＳ１４においてＹＥＳ）、課金制御部１０５は、通信制御部１０３に、画像を形成する枚数等の画像形成内容に応じた課金額が示された課金情報を読取部６２が読み取った識別情報とともに管理サーバー２００へ送信させる。
【００５４】
管理サーバー２００の制御ユニット２１０は、画像形成装置１から送信された上記の課金情報を識別情報に関連付けて記憶部２１２に記憶させる。画像形成装置１を設置した店は、管理サーバー２００の記憶部２１２に情報を参照することで、課金情報に示される代金の請求を識別情報で特定されるユーザーに対して行うことができる。
【００５５】
ステップＳ１５の後、動作制御部１０２は、画像形成部５１に画像形成指示に示される画像データの画像を記録紙に形成させる画像形成処理を実行する（ステップＳ１６）。
【００５６】
一方、識別情報の読み取りに失敗した場合（ステップＳ１２においてＮＯ）、予め定められた時間が経過するまでステップＳ１２の処理を繰り返し行う。そして、予め定められた時間の間に識別情報の読み取りに成功しない場合（ステップＳ１７においてＹＥＳ）、課金制御部１０５は、代金の支払いに失敗した旨を報知する処理を行う（ステップＳ１８）。具体的には、課金制御部１０５は、カード読取装置６０の発光部６１をステップＳ１１で行った発光形態（点灯または点滅）とは異なる発光形態で発光させる。例えば、課金制御部１０５は、カード読取装置６０の発光部６１を赤色発光させる。
【００５７】
また、ユーザー認証に失敗した場合（ステップＳ１４においてＮＯ）も同様に、予め定められた時間が経過するまでステップＳ１２の処理を繰り返し行う。そして、予め定められた時間の間に識別情報の読み取りに成功しない場合（ステップＳ１７においてＹＥＳ）、課金制御部１０５は、代金の支払いに失敗した旨を報知する処理を行う（ステップＳ１８）。
【００５８】
このように、動作制御部１０２は、認証部１０４によるユーザー認証が成功し、かつ、当該認証されたユーザーが用いるＰＣ３００等の外部機器から送信された画像形成指示を受付部１０１が受け付けた場合に、画像形成部５１に、画像形成指示に示される画像データの画像を記録紙に形成させている。
【００５９】
なお、上記のフローチャートでは、画像形成装置１が画像形成指示を受け付けた場合における動作の流れを示しているが、画像形成装置１が画像読取指示を受け付けた場合における動作の流れも基本的には同様の流れとなる。
【００６０】
続いて、画像形成装置１の変形例について説明する。画像形成装置１は、上記の実施の形態の構成に限られず種々の変形が可能である。
【００６１】
図７（Ａ）および図７（Ｂ）は、変形例にかかる画像形成装置１の外観を示す図であり、図７（Ａ）は斜視図、図７（Ｂ）は上面図である。変形例にかかる画像形成装置１は、天板部２０の上面３０に、上方から見て記録紙排出口４３（図１参照）および排出ガイド部材４１を覆う第１の傘部３４が設けられている。また、変形例にかかる画像形成装置１は、天板部２０の上面３０に、上方から見て記録紙挿入口４４（図１参照）および挿入ガイド部材４２を覆う第２の傘部３５が設けられている。
【００６２】
画像形成装置１は、喫茶店やファーストフード店等の複数の机と椅子（座席）が設置された施設に設置されるため、天板部２０の上面３０には飲み物や食べ物が載置されている。このため、飲み物をこぼした場合や食べ物を食い散らかした場合には、記録紙排出口４３や記録紙挿入口４４に異物が混入するおそれがある。記録紙排出口４３や記録紙挿入口４４への異物は、画像形成装置１の故障に繋がる。
【００６３】
この点、変形例にかかる画像形成装置１では、上記の第１の傘部３４および第２の傘部３５を設けたため、飲み物をこぼした場合や食べ物を食い散らかした場合であっても、記録紙排出口４３や記録紙挿入口４４に異物が混入するおそれが低い。
【００６４】
また、変形例にかかる画像形成装置では、上記の第１の傘部３４および第２の傘部３５を、光透過性を有する部材で構成する。これにより、上方から見て
排出ガイド部材４１および挿入ガイド部材４２が視認可能になっている。このため、記録紙の挿入先および排出先をユーザーが確認し易くなっている。
【符号の説明】
【００６５】
１ 画像形成装置
１０ 脚部
１１ 支柱部
１２ 台座部
２０ 天板部
３０ 上面
３４ 第１の傘部
３５ 第２の傘部
４１ 排出ガイド部材
４２ 挿入ガイド部材
４３ 記録紙排出口
４４ 記録紙挿入口
５１ 画像形成部
５２ 画像読取部
５３ 給紙部
５４ 搬送部
６０ カード読取装置
６１ 発光部
６２ 読取部
７０ 記憶部
８０ 通信部
１００ 制御ユニット
１０１ 受付部
１０２ 動作制御部
１０３ 通信制御部
１０４ 認証部
１０５ 課金制御部
２００ 管理サーバー
２１０ 制御ユニット
２１２ 記憶部
【図１】
0006055856.tif 000002
【図２】
0006055856.tif 000003
【図３】
0006055856.tif 000004
【図４】
0006055856.tif 000005
【図５】
0006055856.tif 000006
【図６】
0006055856.tif 000007
【図７】
0006055856.tif 000008